(57)【要約】【課題】  雨水などの自然水を充分に浄化して床暖房や風呂に利用可能とし、かつ生活用水として循環して利用できるようにする水再生利用装置を提供する。【解決手段】  水再生利用装置１０は、雨水等の自然水を濾過する濾過層１２を内蔵する濾過装置１１と、濾過層１２で濾過された水を外部へ供給するための水供給管１７と、濾過装置１１から水供給管１７へ通じる出水口１５を濾過水の量に応じて開閉する第１の弁１６と、水供給管１７に水道水を供給する水道水供給口１８と、この水道水供給口を開閉する第２の弁２１と、第１の弁１６と第２の弁２１を連動させる連結ロッド２３とを備える。第１の弁１６が出水口１５を開くときは第２の弁２１が水道水供給口１８を閉じ、第１の弁１６が出水口１５を閉じるときは第２の弁２１が水道水供給口１８を開く。【選択図】  図２
2007262708.tif 000002
【特許請求の範囲】
【請求項１】
雨水等の自然水を濾過する濾過層を内蔵する濾過装置と、
前記濾過層で濾過された水を外部へ供給するための水供給手段と、
前記濾過装置から前記水供給手段へ通じる出水口を前記濾過層で濾過された水の量に応じて開閉する第１の弁と、
前記水供給手段に水道水を供給する水道水供給口と、
前記水道水供給口を開閉する第２の弁と、
前記第１の弁が前記出水口を開くときは前記第２の弁が前記水道水供給口を閉じ、前記第１の弁が前記出水口を閉じるときは前記第２の弁が前記水道水供給口を開くように、前記第１の弁と前記第２の弁を連動させる連動手段と
を備えたことを特徴とする水再生利用装置。
【請求項２】
請求項１記載の水再生利用装置において、
前記第１の弁は、前記濾過装置内に溜まった濾過水の水位が所定以上のとき浮かんで前記出水口を開くフロート弁から成り、
前記第２の弁は、該フロート弁が浮かぶとき前記水道水供給口を閉じる位置に係止される仕切弁から成ることを特徴とする水再生利用装置。
【請求項３】
請求項１又は２記載の水再生利用装置において、更に、
前記出水口と前記水供給手段との間に設けられ、前記出水口から前記水供給手段に供給される濾過水の流量が、前記水道水供給口から前記水供給手段に供給される水道水の流量よりも多いときに開き、前記濾過水の流量が前記水道水の流量より少ないとき閉じる逆止弁
を備えたことを特徴とする前記水再生利用装置。
【請求項４】
請求項１、２又は３記載の水再生利用装置において、
前記連動手段は、前記第１の弁の開閉動作に従って前記第２の弁を閉じたり開いたりする連結ロッドから成る
ことを特徴とする水再生利用装置。
【発明の詳細な説明】
【技術分野】
【０００１】
本発明は、水再生利用装置に関する。
【背景技術】
【０００２】
従来、降雨量の少ない地域においては、雨水を天水桶やタンクに貯めて生活用水の一部として用いたり、用水池等に貯めて農業用水として使用したりしている。
【０００３】
また、一般家庭においても、貯水をある程度浄化してトイレ等の洗い水に再利用している例が見られる。例えば、下記特許文献１には、雨水や風呂の残り湯をトイレや洗濯用水、散水等の生活用水として再利用する、雨水及び浴槽残り湯の再利用装置が示されている。
【０００４】
このように雨水や風呂の残り湯を、飲用水ほどの清浄度を要しない生活用水として再利用することは、一般的に行われていることである。
【特許文献１】特開２０００−２３３１９３号公報
【発明の開示】
【発明が解決しようとする課題】
【０００５】
しかしながら、従来の一般的な再利用水は、飲用水ほどの清浄度を要しないとしても、床暖房や入浴のために清浄さを要求される温水器に供給される水としては使用し難い。そこで温水器にも供給できるようにする等、雨水や風呂の残り湯の再利用をより一層図るためには、貯水した汚水を充分に浄化する浄化槽や汚濁物質を分解するための曝気槽等を必要とし、貯水槽に加えて浄化槽や曝気槽を設置することは相当の費用がかかり、負担が大きい。
【０００６】
本発明の目的は、雨水などの自然水を充分に浄化して床暖房や風呂に利用可能とし、かつ生活用水として循環して利用できるようにする水再生利用装置を提供することである。
【課題を解決するための手段】
【０００７】
本発明の水再生利用装置は、雨水等の自然水を濾過する濾過層を内蔵する濾過装置と、前記濾過層で濾過された水を外部へ供給するための水供給手段と、前記濾過装置から前記水供給手段へ通じる出水口を前記濾過層で濾過された水の量に応じて開閉する第１の弁と、前記水供給手段に水道水を供給する水道水供給口と、前記水道水供給口を開閉する第２の弁と、前記第１の弁が前記出水口を開くときは前記第２の弁が前記水道水供給口を閉じ、前記第１の弁が前記出水口を閉じるときは前記第２の弁が前記水道水供給口を開くように、前記第１の弁と前記第２の弁を連動させる連動手段とを備えたことを特徴とする。
【０００８】
前記第１の弁は、前記濾過装置内に溜まった濾過水の水位が所定以上のとき浮かんで前記出水口を開くフロート弁から成り、前記第２の弁は、該フロート弁が浮かぶとき前記水道水供給口を閉じる位置に係止される仕切弁から成ることが望ましい。
【０００９】
更に、前記出水口と前記水供給手段との間に設けられ、前記出水口から前記水供給手段に供給される濾過水の流量が、前記水道水供給口から前記水供給手段に供給される水道水の流量よりも多いときに開き、前記濾過水の流量が前記水道水の流量より少ないとき閉じる逆止弁を備えることが望ましい。
【００１０】
前記連動手段は、前記第１の弁の開閉動作に従って前記第２の弁を閉じたり開いたりする連結ロッドから成ることが望ましい。
【００１１】
また、本発明の水再生利用装置で濾過される水は、雨水に限らず、本装置から給湯器などに供給され入浴などで使用された水を再び濾過装置に入れるようにしてもよい。
【発明の効果】
【００１２】
本発明によれば、第１の弁が濾過装置からの出水口を開くとき第２の弁が水道水供給口を閉じ、第１の弁が出水口を閉じるとき第２の弁が水道水供給口を開くようにしたので、濾過装置で濾過された水の量が多いときは水供給手段から外部へ濾過水が供給され、濾過水が少なくなるほど水道水を補充して水供給手段から外部へ供給されるので、濾過装置に供給される雨水の量に依存することなく、浄化水を必要とする温水器などの設備に必要な水を供給することができる。これにより、浄化した水を床暖房や浴槽に利用でき、また再利用された水を洗濯用水やトイレの洗浄水に循環して再利用することもできる。
【発明を実施するための最良の形態】
【００１３】
図１は、家屋及びその周辺に降った雨水を再生利用装置で濾過して電気給湯器に給水する場合の概要図である。雨水再生利用装置１０は、家屋１の床下に設置され、屋根などから落ちた雨水を樋２を介して導入する濾過装置１１（図２）を備えている。ここで濾過された水は、電気給湯器３に供給、加熱されて温水又は熱水となり、浴槽４その他の水利用設備に供給される。
【００１４】
なお、入浴後に浴槽４内の残り湯は、洗濯機やトイレの給水器に供給することにより、洗濯水や便器からの流し水として再利用することができる。
【００１５】
図２及び図３に示すように、雨水再生利用装置１０は、雨水を濾過するための濾過装置１１と、濾過装置１１の底部に溜まった水（濾過水）を外部の給湯器などの装置に供給するための水供給手段を構成する水供給管１７とを備え、濾過装置１１の底部と水供給管１７との間に、底部に設けられた出水口１５を開閉するフロート弁１６、水供給管１７に連通する交差部１９、出水口１５と交差部１９の間を開閉する逆止弁２０とこれを閉位置に止める係止部２０ａ、交差部１９に連通する水道管の水供給口１８とこれを開閉する仕切弁２１を備えている。
【００１６】
濾過装置１１は、全体が貯水槽として形成され、その内部に竹炭層１３とカキ殻層１４とを１層ずつ或いは複数積層させて成る濾過層１２を有する。上方から建物の樋２を通って供給された雨水や雪融け水等の自然水（以下、代表して「雨水」という）は、濾過層１２によって濾過される。雨水は、竹炭層１３を通過することによって除菌、消臭され、カキ殻層１４を通過することによって不純物が除去され、飲用以外の生活用水として利用できる程度に浄化される。濾過された水（濾過水）は、濾過装置１１の槽底に溜まり、後述のようにフロート弁１６が閉じているときは、出水口１５を通って交差部１９に至る。交差部１９に溜まった濾過水は、ポンプ３０によって汲み上げられ、濾過水供給管１７を介して再生水利用装置、例えば電気給湯器１４に供給される。
【００１７】
フロート弁１６は、出水口１５より濾過層１２側に設けられ、濾過装置１１内の濾過水の水位に応じて作動する浮き（フロート）から成り、フロートが移動することによって出水口１５を開閉する。
【００１８】
仕切弁２１は、出水口１５より濾過水供給管１７側に設けられ、相対的に長い連結ロッド２３を介してフロート弁１６に連結する一方、相対的に短い連結ロッド２４を介して閉鎖摺動板２５に連結している。
【００１９】
図２は、濾過装置１１の槽底部に溜まった濾過水の浮力によりフロートが出水口１５を開く位置にある状態、図３は、濾過装置１１の底部に濾過水が殆どなく、フロートが出水口１５を閉じている状態を示す。
【００２０】
仕切弁２１は、図２に示すように、水道管１８の供給口付近に設けられた係止部２２に閉鎖摺動板２５が当たることで、仕切弁２１が水道水供給口１８を閉じて交差部１９との連通を遮断する位置と、図３に示すように、仕切弁２１が水道水供給口１８を開いて交差部１９と連通させる位置との間を、連結ロッド２３を介してフロート弁１６と共に移動する。すなわち、濾過装置１１の槽底部に溜まった濾過水によりフロートが浮力を受けると、仕切弁２１は水道水供給口１８を閉じ、フロートが出水口１５を閉じると、仕切弁２１は水道水供給口１８を開く。このように仕切弁２１が開閉することにより、水道水供給口１８から交差部１９への水道水の供給が開始又は停止する。
【００２１】
逆止弁２０は、出水口１５から出る濾過水の流れ及び水道水供給口１８から流入する水道水の流れによって開閉する。すなわち、水道水の流量よりも濾過水の流量が多いと、逆止弁２０は開き、濾過水の流量よりも水道水の流量が多いと逆止弁２０は閉じる。これにより、水道水供給口１８から供給された水道水が、出水口１５から濾過装置１１の底部に流入するのを防ぐことができる。
【００２２】
前述のように、樋２から濾過装置１１に供給された雨水は、濾過層１２を通過することによって生活用水として利用できる程度に浄化され、濾過装置１１の底部に溜まる。図２に示すように、所定の量の濾過水が溜まると、その浮力によってフロート弁１６が移動して出水口１５を開くと共に、仕切弁２１が連動して水道水供給口１８を閉じる。これにより、濾過装置１１の底部から交差部１９に溜まった濾過水は、ポンプ３０によって汲み上げられ、濾過水供給管１７を通って外部へ供給される。
【００２３】
その後、濾過装置１１内に雨水が供給されず、底部に溜まっている濾過水の水位が低下すると、フロート弁１６が沈んで出水口１５を少し閉じ、これに連動して仕切弁２１が移動し水道水供給口１８を少し開く。これにより、交差部１９には濾過水に加えて水道水が供給され、濾過水と水道水の混合水がポンプ３０によって汲み上げられて外部に供給される。
【００２４】
濾過装置１１の底部に溜まっている濾過水の水位が更に低下すると、図３に示すように、フロート弁１６が沈んで出水口１５を閉じ、これに連動して仕切弁２１が水道水供給口１８を開く。これにより、交差部１９には水道水のみが供給されるので、この水道水が濾過水供給管１７を通って外部に供給される。
【００２５】
上記のように、濾過装置で濾過された水が所定量以上あるときは、濾過水を外部に供給する一方、濾過水が少ないときは水道水の供給に切り替えられるので、雨水の量に依存することなく、浄化された水を必要とする設備に必要な水を供給できる水再生利用装置が提供される。
【００２６】
本発明の雨水再生利用装置１０で再生された水は、例えば、図４に示す電気給湯器一体型ユニットバスで使用される。電気給湯器一体型ユニットバスは、建物１内に設けられ、電気給湯器３と脱衣室５と浴室６とを備える。脱衣室５内には洗面所７が設置され、浴室６内には浴槽４が設置されている。雨水再生利用装置１０から延びた水供給管１７は電気給湯器３の入水口に接続し、その出水口は洗面所７及び浴槽４に通じている。なお、電気給湯器３は、その半分を地下に埋設した状態で設置されてもよく、これにより保温性が高められる。
【図面の簡単な説明】
【００２７】
【図１】雨水再生利用装置で濾過し再生した水を電気給湯器に給水する場合の概要図である。
【図２】雨水再生利用装置において濾過水が外部へ供給される状態を示す図である。
【図３】雨水再生利用装置において水道水が外部へ供給される状態を示す図である。
【図４】雨水再生利用装置で濾過し再生した水が供給される電気給湯器一体型ユニットバスを設置した家屋の概要図である。
【符号の説明】
【００２８】
１０…雨水再生利用装置、１１…濾過装置、１２…濾過層、１３…竹炭層、１４…カキ殻層、１５…出水口、１６・・・フロート弁、１７…水供給管、１８…水道水供給口、１９…交差部、２０…逆止弁、２１…仕切弁、２２…係止部、２３，２４・・・連結ロッド、２５…閉鎖摺動板、３０…ポンプ。
【図１】
2007262708.tif 000003
【図２】
2007262708.tif 000004
【図３】
2007262708.tif 000005
【図４】
2007262708.tif 000006